(57)【要約】【課題】大容量の再記録可能記録媒体に記録されたオーディオトラックから所望のトラック、すなわち曲を容易に探すことができる、再記録可能記録媒体のオーディオデータ記録管理方法を提供すること。【解決手段】(a)サンプルデータの存在を表示する表示情報に基づいて、前記サンプルデータが存在するかどうかを決定するステップと、(b)決定結果として前記サンプルが存在する場合、前記サンプルデータの位置を特定する位置情報を読み取るステップと、(c)読み取られた前記位置情報に基づいて、前記デジタルコンテンツ全体を再生する前に、前記サンプルデータを再生するステップとから構成され、前記サンプルデータはデジタルコンテンツの一部分であり、デジタルデータ全体を再生することなく再生可能であることを特徴とする。【選択図】 図７
2008171557.tif 000002
【特許請求の範囲】
【請求項１】
(a)サンプルデータの存在を表示する表示情報に基づいて、前記サンプルデータが存在するかどうかを決定するステップと、
(b)決定結果として前記サンプルが存在する場合、前記サンプルデータの位置を特定する位置情報を読み取るステップと、
(c)読み取られた前記位置情報に基づいて、前記デジタルコンテンツ全体を再生する前に、前記サンプルデータを再生するステップと
から構成され。、
前記サンプルデータはデジタルコンテンツの一部分であり、デジタルデータ全体を再生することなく再生可能であることを特徴とするデジタルコンテンツ再生方法。
【請求項２】
前記位置情報は前記サンプルデータの開始位置を含むことを特徴とする請求項１に記載のデジタルコンテンツ再生方法。
【請求項３】
前記位置情報は、前記サンプルデータ終了位置をさらに含むことを特徴とする請求項２に記載のデジタルコンテンツ再生方法。
【請求項４】
前記位置情報は、前記サンプルデータの再生時間をさらに含むことを特徴とする請求項２に記載のデジタルコンテンツ再生方法。
【請求項５】
前記サンプルデータは、デジタルコンテンツの代表的な部分であることを特徴とする請求項１に記載のデジタルコンテンツ再生方法。
【請求項６】
前記サンプルデータはユーザーによって指定されることを特徴とする請求項５に記載のデジタルコンテンツ再生方法。
【請求項７】
前記デジタルコンテンツは複数のデータ部を有し、前記サンプルデータは前記複数のデータ部にそれぞれ存在することを特徴とする請求項１に記載のデジタルコンテンツ再生方法。
【請求項８】
前記サンプルデータを再生するステップは、それぞれのサンプルデータを再生することを特徴とする請求項７に記載のデジタルコンテンツ再生方法。
【請求項９】
(a)位置情報の存在を特定する表示情報に基づいて、サンプルデータの位置を表示する前記位置情報が特定されているかどうかを決定するステップと、
(b)前記位置情報が決定結果として特定されている場合、その位置情報に基づいて前記デジタルコンテンツ全体を再生する前に、前記サンプルデータの代表的な部分を再生するステップとから構成され、
前記サンプルデータは、デジタルコンテンツの一部分であり、前記デジタルコンテンツ全体を再生することなく再生可能であることを特徴とするデジタルコンテンツ再生方法。
【請求項１０】
前記位置情報は前記サンプルデータの開始位置を含むことを特徴とする請求項９に記載のデジタルコンテンツ再生方法。
【請求項１１】
前記位置情報は前記サンプルデータの終了位置をさらに含むことを特徴とする請求項１０に記載のデジタルコンテンツ再生方法。
【請求項１２】
前記位置情報は前記サンプルデータの再生時間をさらに含むことを特徴とする請求項１０に記載のデジタルコンテンツ再生方法。
【請求項１３】
前記サンプルデータはデジタルコンテンツの代表的な部分であることを特徴とする請求項９に記載のデジタルコンテンツ再生方法。
【請求項１４】
前記サンプルデータははユーザーによって指定されることを特徴とする請求項１３に記載のデジタルコンテンツ再生方法。
【請求項１５】
前記デジタルコンテンツは複数のデータ部を有し、前記サンプルデータは複数のデータ部にそれぞれ存在することを特徴とする請求項９に記載に記載のデジタルコンテンツ再生方法。
【請求項１６】
前記サンプルデータを再生するステップはそれぞれのサンプルデータを再生することを特徴とする請求項１５に記載のデジタルコンテンツ再生方法。
【請求項１７】
サンプルデータを含むデジタルコンテンツを格納するメモリと、
前記デジタルコンテンツ全体を再生することなく再生可能な前記サンプルデータと、
表示情報に基づいて位置情報が特定されたかどうかを決定するコントローラと
から構成され、
前記コントローラにおいて、前記位置情報は前記サンプルデータの位置を表示し、前記表示情報は前記位置情報の存在を特定し、前記位置情報が前記決定に従って特定された場合、デジタルコンテンツ全体を再生する前に、前記位置情報に基づいて前記サンプルデータのプレイバックを制御することを特徴とするデジタルコンテンツ再生装置。
【請求項１８】
前記デジタルコンテンツは複数の位置情報およびサンプルデータを有し、
前記コントローラはそれぞれの位置情報に基づいて、各サンプルデータのプレイバックを制御することを特徴とする請求項１７に記載のデジタルコンテンツ再生装置。。
【発明の詳細な説明】
【技術分野】
【０００１】
本発明は、再記録可能記録媒体に記録されたオーディオ曲を代表する内容を選定管理して必要時にこれを再生してその曲を確認できるようにする方法に関するものである。
【背景技術】
【０００２】
高音質のデジタルオーディオデータを記録格納できるＣＤのような記録媒体は、現在最も広く用いられているデジタルオーディオ記録媒体である。ＣＤは、高音質のデジタルオーディオデータをほぼ永久に記録格納できる。さらに、最近では高画質の動映像データまたは高音質のオーディオデータを長時間記録格納できる大容量高密度光ディスクであるＤＶＤが開発され、市場に発表されて、広く普及することが予想される。ＤＶＤの種類には、再生専用のＤＶＤ−ＲＯＭ、１回記録可能なＤＶＤ−Ｒ、そして再記録可能なＤＶＤ−ＲＡＭまたはＤＶＤ−ＲＷなどがある。
【０００３】
再記録可能な大容量記録媒体である、Ｒｅｗｒｉｔａｂｌｅ ＤＶＤは、現在記録フォーマットに対する規格化作業が進行中である。
【０００４】
図１は、再記録可能記録媒体に映像またはオーディオデータを記録したりまたは再生する一般的な光ディスク装置の主要構成を図示したことである。
【０００５】
図１の光ディスク装置は、再記録可能ＤＶＤ １のような再記録可能記録媒体に記録された信号を読み出したり、または記録するように信号処理されたデータストリームを再記録可能記録媒体に記録する光ピックアップ２、光ピックアップ２から読み出される信号を再生信号処理する再生信号処理部８、再生信号をデコーディングして出力するデコーダ９、外部から入力されるアナログ信号をサンプリングしてデジタル信号に変換して出力するサンプラ５、変換して出力されたデジタル信号をＭＰＥＧ方式、ＬＰＣＭ方式またはＡＣ−３方式等でエンコーディングするエンコーダ４、エンコーディングされたデジタルデータを記録に適する形態の信号に変換処理する記録信号処理部３、ユーザー要求によって構成手段の動作を制御するコントローラ６、及びコントローラの動作に必要なデータを格納するメモリ７を含む。
【０００６】
このように構成された光ディスク装置にアナログオーディオ信号が入力されると、サンプラ５では、そのオーディオ信号を所定周波数でサンプリングして、デジタルデータに変換した後、エンコーダ４に印加する。エンコーダ４はそのデジタルデータを、その装置で決められているフォーマット、例えばＭＰＥＧフォーマットでエンコーディングして、記録信号処理部３に与える。これにより、記録信号処理部３は、エンコーディングされた圧縮オーディオデータを、記録に適合する信号に変えて再記録可能記録媒体１に記録する。
【０００７】
再記録可能記録媒体に記録されるオーディオデータは、一つの論理的「トラック」単位で区画されている。この論理的トラックは記録媒体に螺旋形で形成された物理的トラックとは区別されるべきである。マイク及び放送などを通して提供されるオーディオ曲が一度記録されると一つのトラック（以下単にトラックという場合論理トラックを意味する）になる。
【０００８】
再記録可能記録媒体に記録されたオーディオ曲の全体、すなわち、すべてのトラックは、図２に図示したように、一つのトラックセット(ＴｒａｃｋＳｅｔ)として管理されるが、そのトラックセット内に新しいトラックが追加記録されたりまたは記録されているトラックが削除されることがある。
【０００９】
また、トラックの一部分のみ、ユーザーの編集動作などによって部分トラック(ＰｏＴ：Part of Track)として指定され、その部分のみを再生させることができる。そのような再生はトラックの再生順序を指定するための再生リスト(ＰＬ：Play List）の選択によって行なわれる。
【００１０】
トラックの記録後、または編集後には、トラックの全部または一部を参照するための情報としてセル情報が生成される。このセル情報は一つ以上のトラックを参照させるプログラムチェーン情報(ＰＧＣＩ：Program Chain Information)に属する。そして再生リストから、ユーザーの選択によって適当なプログラムチェーン情報をプログラムチェーン番号によって参照することができる。
【００１１】
したがって、ユーザーが選定した、または記録時自動的に生成した多数の再生リスト中任意の一つの再生リストを選択すると、コントローラ６は、選択された再生リストに対応するプログラムチェーン情報(ＰＧＣ)を検索して、そのプログラムチェーン情報内のセル(Ｃｅｌｌ）が指定するトラックのすべてまたはトラックの一部区間に対する位置情報を確認し、その確認された記録位置を探索して読出し再生することによって、ユーザーが所望するトラックを再生出力できるようになっている。
【００１２】
しかし、記録媒体が大容量であるので、数多くのオーディオトラックを記録できるが、逆に、このように多くのオーディオトラックが記録された記録媒体から再生リストを使用してユーザーが希望するオーディオトラックを探すのは容易でない。したがって、ユーザーに各再生リストに含まれたオーディオ曲を概略的に確認できる効率的な方法の提案が要求されている。
【発明の開示】
【発明が解決しようとする課題】
【００１３】
本発明はこのような問題点を解決するためになされたもので、大容量の再記録可能記録媒体に記録されたオーディオトラックから所望のトラック、すなわち曲を容易に探すことができる、再記録可能記録媒体のオーディオデータ記録管理方法を提供することが目的である。
【課題を解決するための手段】
【００１４】
本発明による再記録可能記録媒体のオーディオデータ記録管理方法は、一度に記録された一つのオーディオトラックの代表的な部分、すなわち代表オーディオ区間を選定して、その代表オーディオ区間の記録位置を探索する位置情報を生成して、そのオーディオトラックに対するセル情報に記録するものである。
すなわち、再記録可能記録媒体に記録されたオーディオトラックに対する代表的な部分を示す代表オーディオ区間の指定を受信する１段階、及び、代表オーディオ区間に指定された指定区間に対する位置情報を、オーディオトラックの全区間または一部区間を指すセル情報として再記録可能記録媒体に記録する２段階を含むことを特徴とする。
ここで、セル情報は、代表オーディオ区間に対する位置情報が記録されているのかを区別させる識別情報を含んでいてもよい。より詳しく言えば、識別情報は、代表オーディオ区間に対する情報が記録されているのか、ランダムアクセス可能な位置情報が記録されているのかを区別させる情報であってもよい。
また、位置情報は、代表オーディオ区間の開始位置とその区間の長さに対する情報であってもよい。
【発明の効果】
【００１５】
本発明による再記録可能記録媒体のオーディオデータ記録管理方法によれば、大容量の再記録可能記録媒体に数多くの曲が記録されている場合に、その曲を代表する箇所、すなわち代表オーディを少しずつ聞くことができので、局名を正確に覚えていなくとも、ユーザーが所望するオーディオ曲をより迅速にさがすことができるようになる。
【発明を実施するための最良の形態】
【００１６】
以下、本発明による再記録可能記録媒体のオーディオデータの代表オーディオの記録管理方法に対する望ましい実施形態に対して、添付された図面を参照して詳細に説明する。
【００１７】
図３は、再記録可能記録媒体に記録されたオーディオトラックに対するリアルタイム記録オーディオ管理情報(ＲＴＲ＿ＡＭＧＩ：Real Time Recording Audio Manager Information）の構造を図示したものである。
【００１８】
リアルタイム記録オーディオ管理情報は、オーディオ管理情報管理テーブル(ＡＭＧＩ＿ＭＡＴ)と、再生リストサーチポインターテーブル(ＰＬ＿ＳＲＰＴ)とを備えている。再生リストサーチポインターテーブルは、再生リストサーチポインターテーブルに対する情報が記録されるフィールド(ＰＬ＿ＳＲＰＴＩ)と、多数の再生リストポインター(ＰＬ＿ＳＲＰ＃１、２．．．)とが記録されるフィールドを含む。
【００１９】
それぞれの再生リストサーチポインター(ＰＬ＿ＳＲＰ)にはプログラムチェーン番号(ＰＧＣＮ)が記録されるが、このプログラムチェーン番号は図４のような構造を有するプログラムチェーンを指定する。
【００２０】
オーディオ曲が記録信号処理部３を通して再記録可能記録媒体に記録されてしまえば、コントローラ６はそのトラックに対する情報として一つのセル情報を生成する。このようなセル情報は、そのトラックに対する開始と終了に対する位置情報を有する。その情報は図４のオーディオセル一般情報(Audio Cell General Information)フィールドに記録される。そしてそのセルは、図４で見るように自動的にまたはユーザーの選択によって指定された特定プログラムチェーンに属している。一つ以上のオーディオトラックが記録されることによってそれに対応する多数のセルが生成されて、そのプログラムチェーン内に、そのセルの位置に対する情報(CI Search Pointer)と一緒にセル情報(Cell Information)として記録できる。
【００２１】
一つのセル情報は、図４で見るように、対応するオーディオトラックに対する位置情報を含むオーディオセル一般情報(Ａ＿Ｃ＿ＧＩ)と、多数のオーディオセルエントリーポイント情報（Ａ＿Ｃ＿ＥＰＩ）とで構成される。
【００２２】
ところで、オーディオセルエントリーポイント情報（Ａ＿Ｃ＿ＥＰＩ）は、そのタイプによって他の情報が記録されるが、本発明では、オーディオトラックに対する代表オーディオ、すなわちその曲を代表するような部分の位置を格納するための情報としてこのセルエントリーポイント情報（Ａ＿Ｃ＿ＥＰＩ）領域を利用する。すなわち、図４に示されたように、エントリーポイントのタイプ(ＥＰ＿ＴＹ)フィールドに、ビット値として「０００１ＸＸＸＸ」(Ｘは任意値）の値を記録することによって、その追加的な情報として、代表オーディオ開始表示時間(ＥＰ＿ＲＡ＿Ｓ＿ＰＴＭ：Entry Point Representation Audio Start Presentation Time)及び終了表示時間(ＥＰ＿ＲＡ＿Ｅ＿ＰＴＭ)に対する情報フィールドが含まれていることを示している。
【００２３】
エントリーポイントタイプフィールドの値が「０１１０ＸＸＸＸ」の場合にはランダムアクセスが可能な位置情報に対するフィールドのみを含む一般的な用途に用いるようになる。
【００２４】
したがって、コントローラ６は、多数のオーディオトラックに対する記録が終了された後、編集によって各トラックに対する代表オーディオの位置を指定するようになればそれに対する情報をそのトラックに対するセル情報のオーディオセルエントリーポイント情報フィールドにその指定された位置の開始と終了位置に対する再現時刻情報(ＰＴＭ：Presentation Time)を記録する。代表オーディオのためのオーディオデータは記録されたオーディオトラックで選択されるが、必要な場合には代表オーディオのみのためのオーディオをユーザーの音声で記録することもできる。
【００２５】
図５は、本発明によって、オーディオトラックが記録されて各オーディオトラックに対する代表オーディオが指定された結果を図式的に示したものである。図５の記録例では、代表オーディオ区間の開始と終了情報が記録される形態である図４のエントリーポイントタイプが用いられている。
【００２６】
図５の例では、三つのオーディオトラック(一つのトラックが一つのオーディオオブジェクト(ＡＯＢ)に対応する)が記録されており、その三つのトラックに対するセル情報が記録時に生成するオリジナルプログラムチェーン(ＯＲＧ＿ＰＧＣ)に記録されることによって、オリジナルプログラムチェーンと連結される。そして図５には、編集モードで、ユーザーがトラック３(ＡＯＢ３）の一部区間(ＵＤ＿ＴＲＫ)を指定することによって、コントローラ６がその指定された部分区間を指定するセル(Ｃｅｌｌ４)情報を生成して、そのセル情報をユーザー定義プログラムチェーン(ＵＤ＿ＰＧＣ)に記録している例も示されている。
【００２７】
また、ユーザー定義プログラムチェーンで指定されたトラックの一部区間に対しても、もちろん代表オーディオ区間が指定されてその区間を指す開始と終了ポイントがユーザー定義プログラムチェーンに属するセル(Ｃｅｌｌ４)に記録されていることをも示している。図５の例では、トラック３(ＡＯＢ３)に対する代表オーディオ区間と、ユーザーが指定したトラック３の部分区間(ＵＤ＿ＴＲＫ)に対する代表オーディオ区間が同一であるが、記録されたトラックに対して一部区間を指定したユーザー定義区間で、その一部区間が指定されたオリジナルの区間指定とは異なる代表オーディオ区間を指定することができることはもちろんである。
【００２８】
図４のように、ユーザーが指定した代表オーディオ区間に対してその区間の開始と終了に対する情報を記録するフィールドの代わりに、代表オーディオ区間の開始とその長さを示す情報を記録するフィールドとでオーディオセルエントリーポイント情報フィールドを構成することもできる。図６はこのような実施形態によるプログラムチェーンのフォーマットを図示した。代表オーディオ区間の長さを示す情報としてオーディオフレーム数を記録することもできる。
【００２９】
図７のオーディオトラックの記録例は、オーディオセルエントリーポイントのタイプを、図４のタイプの代わりに図６に提示されたタイプを用いたものに対する情報の連結構造である。すなわちあるトラックの代表オーディオ区間を開始と終了を示す情報(ＥＰ＿ＲＡ＿Ｅ＿ＰＴＭ)の代わりにその区間の開始と長さ(ＲＡ＿ＤＵＲ)を示す情報がセル情報に記録されていることが理解できるであろう。
【００３０】
以下では、このように記録されたオーディオトラックとそのトラックに対する代表オーディオ区間の再生方法に対して説明する。
【００３１】
コントローラ６は、再記録可能記録媒体１が挿入されると、それに記録されているオーディオトラックの管理情報を読み出して、メモリ７に一時的に格納し、ユーザーが代表オーディオ再生を要求すると、メモリ７に格納されているリアルタイム記録オーディオ管理情報(ＲＴＲ＿ＡＭＧＩ)に基づいて再生リスト選択のための図８の画面を構成する。この画面は光ディスク装置と連結されている映像ディスプレー装置や光ディスク装置に一体的に備わっている液晶表示器などの画面である。この画面には選択のためのカーソルも同時に生成され、一緒に画面出力する。
【００３２】
リモコンなどの入力装置から入力されるデータによって、画面上のカーソルを移動させ、一つの再生リストを選択する。その選択による再生リストが指定しているプログラムチェーン番号を参照してそのプログラムチェーン情報にアクセスする。
そして、そのプログラムチェーンに記録されているセル情報を確認する。
【００３３】
ユーザーが選択した再生リストが図５或いは図７のオリジナルプログラムチェーン(ＯＲＧ＿ＰＧＣ)であれば、トラック１、２、そして３(ＡＯＢ１、２、３)に対応する３個のセル情報を確認する。そして、各々のセル情報に記録されている代表オーディオ区間(ＲＡ＿ＥＮＴ、＃１、＃２、＃３)に対する位置情報、すなわち開始と終了、または開始と再生長さに対する情報を確認する。
【００３４】
次に、コントローラ６は、光ピックアップ２を確認された位置に移動させてその位置から記録されたオーディオデータを読み出して再生信号処理部８とデコーダ９を通してオーディオの音を出力するオーディオ再生動作を実施する。この動作は、指定された代表オーディオ区間の終了位置までまたは再生時間だけ行なわれる。その代表オーディオ区間の再生が完了されると、次のセル情報に記録された代表オーディオ区間を同様な方法で探索して読み出し、そのオーディオの音を出力する動作を最終セルまで繰り返す。
【００３５】
もしも、ユーザーが選択した再生リストがユーザー定義プログラムチェーンであれば、図５及び７の例でセル情報＃４に記録された代表オーディオ区間(ＲＡ＿ＥＮＴ＃４）が探索されて再生される。
【００３６】
上記のような順次的な代表オーディオ区間の再生過程で、次のセル情報に記録されているオーディオセルエントリーポインターのタイプが、代表オーディオ記録区間を示すビット値である「０００１ＸＸＸＸ」でなければ、そのセル情報に対応するオーディオトラックの代表オーディオはないと判断されてそのトラックをスキップする。
【００３７】
図５と７の記録オーディオトラック例では、ユーザー定義プログラムチェーンは、オーディオトラックの部分的な区間を指定している一つの区間のみが示されているが、記録されたオーディオトラックに対して多様な個所の区間を指定することによって多数のセル情報をユーザー定義プログラムチェーンに含まれせることができる。その場合にもコントローラ６はそのユーザー定義プログラムチェーンに属しているあらゆるセル情報に定められている代表オーディオ区間を順次的に探索しながら再生する。
【００３８】
一方、上述のように選択された再生リストに対する代表オーディオの再生が実施されている途中、リモコンのような入力装置を通してユーザーから前の又は次の代表オーディオ探索が要求されると、コントローラ６は現在のセル情報の前または次のセル情報を確認し、そのセル情報で指定された代表オーディオ区間に光ピックアップ２を移動させてその区間のオーディオデータを探索した後、該当する代表オーディオを再生する。
【００３９】
また、コントローラ６は、ユーザーからトラック番号が指定されると、現在再生中のプログラムチェーンでそのトラック番号に該当するセル情報を参照して代表オーディオ区間を探索し、そのオーディオトラックに対応する代表オーディオを探索及び再生する。
【００４０】
また、代表オーディオ「先頭探索」機能を追加する場合もある。この機能は代表オーディオ再生途中「先頭探索」命令があれば、現在再生されている代表オーディオ区間の先頭から再び再生する。すなわち、その曲の代表オーディオを再び聞こうとする場合に利用する。
【００４１】
前述したような多様な代表オーディオの再生は、リモートコントローラなどのユーザーインタフェースを通して行われる。そして、リモコン等に「代表オーディオ」に対応する短縮ボタンを用意して、このボタンを一度押せば代表オーディオ「オン(Ｏｎ)」命令が行なわれて、前述したような代表オーディオの順次的な再生が始まるようにすることが望ましい。「代表オーディオ」オン命令前に指定されているプログラムチェーンがある場合には、そのプログラムチェーンに属するオーディオトラックに対する代表オーディオの順次再生が行なわれ、一方、プログラムチェーンが指定されていない場合には最も最近に記録されたオーディオトラックを含んでいるオリジナルプログラムチェーンに対する代表オーディオが順次再生される。
【００４２】
またボタンをもう一度押せば代表オーディオ「オフ(Ｏｆｆ)」命令が行なわれて、代表オーディオの再生が中断されると同時に、その再生が中断されたオーディオ曲の先頭から正常な再生動作を実施する。すなわちユーザーが代表オーディオを順次的に聴取する途中に自己が所望する曲を発見して「代表オーディオ」ボタンを押せば、代表オーディオの順次的な再生が中止されて、その時再生が行なわれていたセルに属するオーディオトラック、すなわちユーザーが所望する曲の再生モードに入るようになっている。
【００４３】
以上、前述した本発明の望ましい実施形態は例示のために開示したもので、当業者であれば添付された特許請求範囲に開示された本発明の技術的思想の範囲を通して変更、代替または付加できるであろう。
【図面の簡単な説明】
【００４４】
【図１】従来の一般的な光ディスク装置のブロック図である。
【図２】再記録可能記録媒体に記録されるオーディオトラックとその記録情報とその構造の図である。
【図３】オーディオトラックを参照するプログラムチェーン情報と再生リストとの関係を示した図である。
【図４】本発明によって、セル情報に代表オーディオ区間情報が記録されているプログラムチェーン情報を構造的に示した図である。
【図５】代表オーディオ区間が選定された各オーディオトラックと代表オーディオ位置情報がその区間を指示する形態の例を示した図である。
【図６】本発明によって、セル情報に代表オーディオ区間情報が異なるように記録されているプログラムチェーン情報を構造的に示した図である。
【図７】代表オーディオ区間が選定された各オーディオトラックと代表オーディオ位置情報がその区間を指示する形態の他の例を示した図である。
【図８】ユーザーが代表オーディオ再生を要求する場合、画面上に再生リストが出力された例を示した図である。
【符号の説明】
【００４５】
１…再記録可能ＤＶＤ、２…光ピックアップ、３…記録信号処理部、４…エンコーダ、５…サンプラ、６…コントローラ、７…メモリ、８…再生信号処理部、９…デコーダ。
【図１】
2008171557.tif 000003
【図２】
2008171557.tif 000004
【図３】
2008171557.tif 000005
【図４】
2008171557.tif 000006
【図５】
2008171557.tif 000007
【図６】
2008171557.tif 000008
【図７】
2008171557.tif 000009
【図８】
2008171557.tif 000010